(57)【要約】      （修正有）【課題】発熱時に迅速且つ継続的に解熱効果を得られ、特に需要が多いであろう乳幼児の使用時の違和感を軽減できる発熱時対応衣服を提供する。 【解決手段】普段着としても違和感がなく使用できる伸縮性、吸水性に優れた素材の衣服に頸部７・両腋又は両太腿つけ根５・６の動脈付近及び背中に冷却するための保冷剤の収納部、収納部の開口口留め具、寝返りなどにより両腋・両太腿つけ根の収納部が保冷剤の重みでずれることを軽減する密着度を高める調整具(１５〜２２)を備え、特に発熱時の乳幼児に違和感のある物を装着させず、継続した冷却を可能としている。背中収納部においては着脱可能とし、使用感を損なわず普段着としても着用できる。又、普段着である為、熱中症予防としても使用でき、洗濯においても容易で、常に清潔な状態での使用を可能としている。【選択図】図１
0003144543.tif 000002
【実用新案登録請求の範囲】
【請求項１】
伸縮性、吸水性に優れた衣服の頸部・両腋・両太腿つけ根の動脈付近および背中に冷却するための保冷剤の収納部及び、収納部の開口口留め具を備えていることを特徴とする発熱時対応衣服。
【請求項２】
前記収納部は冷却調整可能な二重構造であることを特徴とする請求項１に記載された発熱時対応衣服。
【請求項３】
背中収納部は着脱可能な係止部材によって固定されていることを特徴とする請求項１、または請求項２に記載された発熱時対応衣服。
【請求項４】
両肩(又は両肩周辺)及び両太腿つけ根周辺に調整可能な係止部材を備えていることを特徴とする請求項１〜３のいずれかに記載された発熱時対応衣服。  
【考案の詳細な説明】
【技術分野】
【０００１】
発熱時に冷却するための保冷剤の収納部を備えた発熱時対応衣服に関する。 
【背景技術】
【０００２】
発熱時の対処法として、冷タオル・冷却シート・冷却枕・部分冷却ホルダー・冷却衣の使用、解熱剤の服用を試みていた。 
【考案の開示】
【考案が解決しようとする課題】
【０００３】
冷タオルを用いる方法は常に側に居なければならず継続した冷却を行うことが困難である。また冷却シートを用いる方法では数時間で効果がなくなり不経済であり、さらに外れた(乳幼児が故意にはずした）冷却シートが事故につながらないか安全性に問題が指摘されている。冷却枕においては寝返りなどで継続した冷却を行うことは困難である。部分冷却ホルダーや冷却衣を用いる方法では、違和感があり、特に幼児は自分で外してしまう。また、乳幼児において冷却して熱を下げたい時は熱のピーク時であり、熱を逃がすために普段より薄着にしてあげることが基本であるので着せるタイプでは矛盾が生じる上に、発熱が続いた場合に替えがないと不衛生である。解熱剤の服用においては効果が一時的であり、継続して使用できない上、安全性においての問題が指摘されているのでできる限りの使用を控えたい。
【課題を解決するための手段】
【０００４】
請求項１記載の考案はそれらの問題を解決するためであり、頸部・両腋・両太腿つけ根の動脈付近および背中に冷却するための保冷剤の収納部及び、収納部の開口口留め具を普段から着ていて違和感がなく使用できる伸縮性、吸水性に優れた素材の衣服(パジャマ等)に備えていることを特徴としているものである。
【０００５】
請求項２記載の考案は主に乳幼児用の発熱時対応衣服である為、状況により収納部を二重にすることで冷却の調整を可能にしていることを特徴としているものである。
【０００６】
請求項３記載の考案は発熱時以外の衣服(パジャマ)としての使用感を保つ為であり、背中の収納部において主に、裏地・面ファスナー・スナップ等を使用し、着脱可能にすると共に、縫い目を最小限に抑えることで使用感・デザインを損なわないことを可能にしていることを特徴としているものである。
【０００７】
両腋・頸部の収納部においてはこの考案の発熱時対応衣服と同じく伸縮性、吸水性に優れた素材を使用することで、発熱時以外の衣服としての機能の向上を図ると共に違和感を無くす事を可能としていることを特徴としているものである。
【０００８】
請求項４記載の考案は寝返りなどにより両腋・両太腿つけ根の収納部が保冷剤の重みでずれることを軽減する為であり、両肩(又は両肩周辺)及び両太腿つけ根周辺に調整具(主にボタンやゴム等)を使用することにより密着度を高めることを可能にしていることを特徴としているものである。
【０００９】
動脈付近だけに止まらず、背中を冷却する収納部を加えることで、高熱時(特に幼児)に冷却効果を高めることを可能にし、且つ、伸縮性、吸水性に優れた衣服に備えている為、普段着として熱中症予防としても効果的であることを特徴としているものである。
【００１０】
収納部の開口口留め具を両腋・両太腿つけ根は前面、頸部・背中においても外側から(デザインにより背中は裾より手を入れ内側からの開口となることもある)開口可能な位置に構成することで、眠っている状態でも保冷剤の交換を可能にしていることを特徴としているものである。
【考案の効果】
【００１１】
本考案の発熱時対応衣服は、普段から着慣れている衣服(パジャマ)に、発熱時に対応できる機能を備えている為、家庭の冷凍庫を用いて保冷剤を常備しておけば急な発熱時に即時、動脈付近及び背中を効果的に冷却することが可能であり、解熱剤など頻回に使わずに解熱効果を有することが可能である。
【００１２】
特に乳幼児の場合、熱のピーク時に重ね着させる必要も無く熱をこもらせる心配も無い。更には、一番需要が多いであろう２・３歳児くらいの幼児は貼り付けたり、着せたりと違和感があるものを嫌がる傾向にあるが、本考案であれば普段から着なれている衣服に取り付ける為、ストレスを最小限に抑えてあげることが可能である。
【００１３】
また、普段の衣服の一部とすることで経済的であり、継続した発熱時に洗い替えの心配も無く、常に清潔な状態で使用することが可能であり、洗濯も通常時の衣服と同時に行うことが可能である。
【００１４】
両肩(又は両肩周辺)及び両太腿つけ根周辺に調整具を取り付けることにより、熱があっても安静に眠ることが困難な幼児に対し、密着度を高めることで冷却の効果を継続することが可能である。
【考案を実施するための最良の形態】
【００１５】
以下、本考案の一実施例における構造、形状を説明する。
【実施例】
【００１６】
図１は、本考案の発熱時対応衣服の正面図である。上位部１、下位部２からなり上位部１には右腋下収納部開口口留め具９又は９ａ、左腋下収納部開口口留め具１０又は１０ａ、頸部収納部７、頸部収納部開口口留め具１３、右肩調整具１５、左肩調整具１７が備えられている。又、下位部２には右太腿つけ根収納部５、右太腿つけ根収納部開口口留め具１１、左太腿つけ部収納部６、左太腿つけ根収納部開口口留め具１２、右太腿つけ根周辺調整具１９、左太腿つけ根周辺調整具２１が備えられている。
【００１７】
図２は、本考案の発熱時対応衣服の背面図である。上位部１、下位部２からなり上位部１には背中収納部開口口留め具１４又は１４ａ、右肩調整具留め具１６、左肩調整具留め具１８が備えられている。又、下位部２には右太腿つけ根周辺調整具留め具２０、左太腿つけ根周辺調整具留め具２２が備えられている。
【００１８】
図３は、本考案の発熱時対応衣服の上位部１を開いた状態の説明図である。上位部１内側に右腋下収納部３又は３ａ、左腋下収納部４又は４ａ、頸部収納部７、頸部収納部開口口留め具１３、背中収納部８、背中収納部開口口留め具１４ｂ、背中収納部取り付け具２３が備えられている。
【００１９】
図１の右腋下収納部開口口留め具９又は９ａ、左腋下収納部開口口留め具１０又は１０ａは、主にファスナーを使用し、眠っている状態でも保冷剤の交換を行いやすいよう考慮されている。右腋下収納部開口口留め具９又は９ａ、左腋下収納部開口口留め具１０又は１０ａは本考案が主に、乳幼児に対する考案の為、サイズやデザインにより適切な位置が微妙に変わることを考慮し、二通りの開口位置を挙げている。
【００２０】
図１の右肩調整具１５、左肩調整具１７は、主にボタンを使用し、図２の右肩調整具留め具１６、左肩調整具留め具１８と連結させる。本考案は伸縮性のある素材の衣服を使用する為、衣服の両腋位置が上がり密着度を上げる事が可能となる。
【００２１】
図１の右太腿つけ根収納部５、左太腿つけ根収納部６は、通常使用時にはポケットとして使用できるものであり、図１の外側に備えているものだけに限らず、デザインにより内側とすることもある。右太腿つけ根収納部開口口留め具１１、左太腿つけ根収納部開口口留め具１２においても、通常使用時のことも考慮し、ファスナーやスナップ等、デザインにより適時使用するものとする。
【００２２】
図１の右太腿つけ根周辺調整具１９、左太腿つけ根周辺調整具２１は、両肩調整具同様、主にボタンを使用し、図２の右太腿つけ根周辺調整具留め具２０、左太腿つけ根周辺調整具留め具２２と連結させ、密着度を高め、ずれを軽減させることを目的としている。
【００２３】
図２の背中収納部開口口留め具１４又は１４ａ、図３の１４ｂにおいても、サイズ、デザインにより適切な位置が変化することを考慮し、三通りの開口位置を挙げている。例えば、本考案は主に乳幼児のための考案であるので、上位部・下位部に分かれている衣服だけに限らず、つなぎタイプのものも視野に入れる必要が出てくる。その場合上位部１の裾より手を入れ図３の背中収納部開口口留め具１４ｂを開口するというのは不可能である。その為、外側に開口口留め具を備える場合と、内側に開口口留め具を備える場合を適時使い分けるものとする。
【００２４】
図３の右腋下収納部３又は３ａ、左腋下収納部４又は４ａにおいても、適切な位置が微妙に変わることを考慮し適時使い分けるものとする。また図３の両腋下収納部は、図１の右腋下収納部開口口留め具９又は９ａ、左腋下収納部開口口留め具１０又は１０ａとした時の位置を記している。
【００２５】
図３の頸部収納部開口口留め具１３は、主に面ファスナーやスナップを用いることで、開口し易く、使用感を損なわないことを可能としているものである。
【００２６】
保冷剤の収納部においては背中収納部以外も着脱可能とする場合があっても良いものとするが、吸水性に優れた素材を用い、二重にしている為、通常使用時においても、汗をよく掻く位置である頸部、両腋下収納部を取り外さなくとも衣服としての機能の向上を図ると共に違和感を無くす事を可能としている。又、吸水性に優れた素材を使用している為、保冷剤の結露も気にすることなく使用できた。
【００２７】
図３の背中収納部取り付け具２３は、主に裏地・面ファスナー・スナップ等を使用し、背中収納部８を着脱可能とするためである。背中収納部においては接地面の広さ、使用頻度を考慮し、着脱可能とする。
【００２８】
上記実施例は一例である為、本考案は、上記実施例以外にも様々な変形を可能とする。例えば、両腋下収納部のみを備えたもの、両腋下収納部及び両太腿つけ根収納部を備えたものであっても良いものとする。
【００２９】
又、例えば両肩及び両太腿つけ根周辺調整具においても、両肩周り及び両太腿つけ根周りにゴム等調整具を使用し、密着度を高める形態であっても良いものとする。
【図面の簡単な説明】
【００３０】
【図１】本考案の発熱時対応衣服の一実施例を示した正面図である。
【図２】本考案の発熱時対応衣服の一実施例を示した背面図である。
【図３】本考案の発熱時対応衣服の一実施例を示した上位部展開図である。
【符号の説明】
【００３１】
１  上衣部
２  下衣部
３  右腋下収納部
３ａ右腋下収納部
４  左腋下収納部
４ａ左腋下収納部
５  右太腿つけ根収納部
６  左太腿つけ根収納部
７  頸部収納部
８  背中収納部
９  右腋下収納部開口口留め具
９ａ  右腋下収納部開口口留め具
１０  左腋下収納部開口口留め具
１０ａ左腋下収納部開口口留め具
１１  右太腿つけ根収納部開口口留め具
１２  左太腿つけ根収納部開口口留め具
１３  頸部収納部開口口留め具
１４  背中収納部開口口留め具
１４ａ背中収納部開口口留め具
１４ｂ 背中収納部開口口留め具
１５  右肩調整具
１６  右肩調整具留め具
１７  左肩調整具
１８  左肩調整具留め具
１９  右太腿つけ根周辺調整具
２０  右太腿つけ根周辺調整具留め具
２１  左太腿つけ根周辺調整具
２２  左太腿つけ根周辺調整具留め具
２３  背中収納部取り付け具
【図１】
0003144543.tif 000003
【図２】
0003144543.tif 000004
【図３】
0003144543.tif 000005